(57)【要約】【課題】電極の着脱が容易に出来る電磁流量計の電極着脱治具を提供する。【解決手段】測定管に一端側が取り付けられ他端側にリード取り付けネジ穴が設けられた電極と、この電極を押さえる電極キャップと、この電極キャップを囲んで測定管に一端側が取り付けられた筒状のボスと、このボスの他端に取り付けられた電極カバーとを有し、この電極カバーと前記電極キャップと前記電極とを着脱する治具において、筒状の本体の一端側に設けられ前記電極カバーあるいは前記電極キャップに設けられた穴に嵌合し前記電極カバーあるいは前記電極キャップを前記測定管にねじ込み取り付けあるいは取り外すプラグ部と、前記本体の他端側に設けられ前記電極のリード取り付けネジ穴にねじ込まれ前記電極を前記測定管に取り付けあるいは取り外す雄ネジ部とを具備したことを特徴とする電磁流量計の電極着脱治具である。【選択図】        図１
2004325150.tif 000002
【特許請求の範囲】
【請求項１】
測定管に一端側が取り付けられ他端側にリード取り付けネジ穴が設けられた電極と、
この電極を押さえる電極キャップと、
この電極キャップを囲んで測定管に一端側が取り付けられた筒状のボスと、
このボスの他端に取り付けられた電極カバーとを有し、
この電極カバーと前記電極キャップと前記電極とを着脱する治具において、
筒状の本体の一端側に設けられ前記電極カバーあるいは前記電極キャップに設けられた穴に嵌合し前記電極カバーあるいは前記電極キャップを前記測定管にねじ込み取り付けあるいは取り外すプラグ部と、
前記本体の他端側に設けられ前記電極のリード取り付けネジ穴にねじ込まれ前記電極を前記測定管に取り付けあるいは取り外す雄ネジ部とを具備したことを特徴とする電磁流量計の電極着脱治具。
【請求項２】
前記プラグ部は、断面六角形状であることを特徴とする請求項１記載の電磁流量計の電極着脱治具。
【請求項３】
前記プラグ部は、２個のピンよりなることを特徴とする請求項１記載の電磁流量計の電極着脱治具。
【発明の詳細な説明】
【０００１】
【発明の属する技術分野】
本発明は、電極の着脱が容易に出来る電磁流量計の電極着脱治具の電極着脱治具に関するものである。
【０００２】
【従来の技術】
図２１は、従来より一般に使用されている従来例の電磁流量計の構成説明図で、例えば、特開２００２−１３９３５５号に示されている（例えば、特許文献１参照。）。
【０００３】
図において、測定管１１には、測定流体ＦＬが内部に流れる．
ライニング体１２は、測定管１１の内壁面部と電極取付穴部を通じて電極取付穴周辺部の外壁面上までライニングされている。
【０００４】
ボス１３は、ライニング体１２の電極取付穴周辺部を囲んでリング状に、測定管１１の外壁に設けられている。
柱状の電極１４は、電極取付穴部に一端側が挿入され、途中に設けられた鍔部１４１の一方の面が、ライニング体１２の電極取付穴周辺部に接する。
【０００５】
絶縁ワッシャー１５は、電極１４の外周面に挿入され、鍔部１４１の他方の面に一方の面が接して設けられている。
なお、この場合は、絶縁ワッシャーには、電極１４の外周面に沿ってリング状に設けられた凸部１５１を有している。
【０００６】
筒状の絶縁リング１６は、電極１４の他方端側に挿入され、一方端が絶縁ワッシャー１５に接する。
電極キャップ１７は、絶縁リング１６の外周面に挿入され、電極キャップ１７と絶縁ワッシャー１５との間に、弾性体としての、コイルスプリング１７１が設けられている。
【０００７】
電極キャップ１７は、コイルスプリング１７１の他方端に一方の面が接する底部１７２と、ボス１３の内壁に係合するリング状の側部１７３とを有する。
【０００８】
係止手段１８は、絶縁リング１６の他方端に設けられ、電極キャップ１７が電極１４の軸方向に脱するのを係止する。
この場合は、係止手段１８として、突起部１８１とＥ形止め輪１８２とよりなる。
【０００９】
突起部１８１は、絶縁リング１６の他方端に設けられ、電極キャップ１７が電極１４の軸方向に脱するのを係止する。
Ｅ形止め輪１８２は、電極１４の他端側に設けられ、絶縁リング１６が電極１４の軸方向に脱するのを係止する。
【００１０】
なお、突起部１８１の代わりに、抜け止め用のワッシャが使用されても良いことは勿論である。
電極カバー１９は、ボス１３に取り付けられている。
電極１４のリード取り付けネジ穴１４２は、電極１４の他端に設けられている。
【００１１】
【特許文献１】
特開２００２−１３９３５５号（第２頁、図３）
【００１２】
【発明が解決しようとする課題】
しかしながら、このような装置においては、以下の間題点がある。
図２１に示す如く、取り外し可能な電極１４は、電極ボス１３の内側にあり、また、電極カバー１９から奥行き深い位置に配置されている。
図２１に示す如く、電極ボス１３の径が小さく、奥行きがあるため、電極１４を取り出すために指が入らず、電極１４を取り外すのが非常に困難である。
【００１３】
本発明の目的は、上記の課題を解決するもので、電極の着脱が容易に出来る電磁流量計の電極着脱治具を提供することにある。
【００１４】
即ち、一個の治具で、電極カバー１９を開け、電極キャップ１７を取り外し、電極１４を抜き取る。
または、その逆に、電極１４を差し込み、電極キャップ１７を締め、電極カバー１９を締めることが容易な電磁流量計の電極着脱治具を提供することにある。
【００１５】
【課題を解決するための手段】
このような目的を達成するために、本発明では、請求項１記載の電磁流量計の電極着脱治具においては、
測定管に一端側が取り付けられ他端側にリード取り付けネジ穴が設けられた電極と、この電極を押さえる電極キャップと、この電極キャップを囲んで測定管に一端側が取り付けられた筒状のボスと、このボスの他端に取り付けられた電極カバーとを有し、この電極カバーと前記電極キャップと前記電極とを着脱する治具において、
筒状の本体の一端側に設けられ前記電極カバーあるいは前記電極キャップに設けられた穴に嵌合し前記電極カバーあるいは前記電極キャップを前記測定管にねじ込み取り付けあるいは取り外すプラグ部と、前記本体の他端側に設けられ前記電極のリード取り付けネジ穴にねじ込まれ前記電極を前記測定管に取り付けあるいは取り外す雄ネジ部とを具備したことを特徴とする。
【００１６】
本発明の請求項２記載の電磁流量計の電極着脱治具においては、請求項１記載の電磁流量計の電極着脱治具において、
前記プラグ部は、断面六角形状であることを特徴とする。
【００１７】
本発明の請求項３記載の電磁流量計の電極着脱治具においては、請求項１記載の電磁流量計の電極着脱治具において、
前記プラグ部は、２個のピンよりなることを特徴とする。
【００１８】
【発明の実施の形態】
以下図面を用いて本発明を詳しく説明する。
図１は本発明の一実施例の要部構成説明図、図２は図１の左側面図、図３は図１の右側面図、図６は図１の動作説明図、図７は図６の側面図、図８は図１の動作説明図、図９は図８の電磁流量計側の側面図、図１０は図１の動作説明図、図１１は図１０の電磁流量計側の側面図、図１２は図１の動作説明図である。
図において、図２１と同一記号の構成は同一機能を表す。
以下、図２１と相違部分のみ説明する。
【００１９】
プラグ部２２は、筒状の本体２１の一端側に設けられ、電極カバー１９あるいは、電極キャップ１７に設けられた穴に嵌合し、電極カバー１９あるいは電極キャップ１７を、測定管に１１ねじ込み取り付け、あるいは、取り外す。
この場合は、プラグ部２２は、断面六角形状を有している。
【００２０】
雄ネジ部２３は、本体２１の他端側に設けられ、電極のリード取り付けネジ穴１４１にねじ込まれ、電極１４を測定管１１に取り付けあるいは取り外す。
【００２１】
この治具を使用する場合、図４，図５に示す如く、電極カバー１９には、プラグ部２２の断面六角形状と同じの穴１９１が、予め空けられている。
図４は電極カバー１９の正面図、図５は図４の右側面図である。
【００２２】
また、図６，図７に示す如く、電極キャップ１７には、プラグ部２２の断面六角形状と同じの穴１９１が、予め空けられている。
図６は電極キャップ１７の正面図、図７は図６の右側面図である。
【００２３】
以上の構成において、図８，図９に示す如く、プラグ部２２で電極カバー１９を取り外す。
図９は電磁流量計側の側面図を示す。
図１０，図１１に示す如く、電極キャップ１７をボス１３より外す。
【００２４】
本体２１を逆向きにし、雄ネジ部２３側の雄ネジを、電極のめネジ部１４２にねじ込み、引っ張ることにより電極１４を抜き取る。
図１１は電磁流量計本体側の側面図を示す。
【００２５】
また、電極の取り付け方法は、上記の順番を逆に行う。
この結果、一個の治具で、電極カバー１９を開け、電極キャップ１７を取り外し、電極１４を抜き取る。
【００２６】
または、その逆に、電極１４を差し込み、電極キャップ１７を締め、電極カバー１９を締めることが容易な電磁流量計の電極着脱治具が得られる。
プラグ部２２は、断面六角形状であるので、治具の着脱作業が確実に出来る電磁流量計の電極着脱治具が得られる。
【００２７】
図１３は、本発明の他の実施例の要部構成説明図、図１４は図１３の左側面図、図１５は図１３の右側面図、図１６は図１３の動作説明図、図１７は図１６の側面図、図１８は図１３の動作説明図、図１９は図１８の側面図、図２０は電磁流量計側の側面図である。
【００２８】
本実施例においては、プラグ部３１は、２個のピン３１１よりなる。
この治具を使用する場合、図１６，図１７に示す如く、電極カバー１９には、プラグ部３１の２個のピン３１１と同じの穴１９２が、予め空けられている。
図１６は電極カバー１９の正面図、図１７は図１６の右側面図である。
【００２９】
また、図１８，図１９に示す如く、電極キャップ１７には、プラグ部３１の２個のピン３１１と同じの穴１９２が、予め空けられている。
図１８は電極キャップ１７の正面図、図１９は図１８の右側面図である。
なお、図２０は電磁流量計本体側の側面図を示す。
【００３０】
この結果、プラグ部３１は、２個のピン３１１よりなるので、製作が容易であり、安価な電磁流量計の電極着脱治具が得られる。
【００３１】
なお、以上の説明は、本発明の説明および例示を目的として特定の好適な実施例を示したに過ぎない。したがって本発明は、上記実施例に限定されることなく、その本質から逸脱しない範囲で更に多くの変更、変形をも含むものである。
【００３２】
【発明の効果】
以上説明したように、本発明の請求項１によれば、次のような効果がある。
筒状の本体の一端側に設けられ、電極カバーあるいは電極キャップに設けられた穴に嵌合し、電極カバーあるいは電極キャップを測定管にねじ込み取り付けあるいは取り外すプラグ部と、本体の他端側に設けられ、電極のリード取り付けネジ穴にねじ込まれ、電極を測定管に取り付けあるいは取り外す雄ネジ部とが設けられた。
【００３３】
従って、一個の治具で、電極カバーを開け、電極キャップを取り外し、電極を抜き取る。
または、その逆に、電極を差し込み、電極キャップを締め、電極カバーを締めることが容易な電磁流量計の電極着脱治具が得られる。
【００３４】
本発明の請求項２によれば、次のような効果がある。
プラグ部は、断面六角形状であるので、治具の着脱作業が確実に出来る電磁流量計の電極着脱治具が得られる。
【００３５】
本発明の請求項３によれば、次のような効果がある。
前記プラグ部は、２個のピンよりなるので、製作が容易であり、安価な電磁流量計の電極着脱治具が得られる。
【００３６】
従って、本発明によれば、電極の着脱が容易に出来る電磁流量計の電極着脱治具の電極着脱治具を実現することが出来る。
【図面の簡単な説明】
【図１】本発明の一実施例の要部構成説明図である。
【図２】図１の左側面図である。
【図３】図１の右側面図である。
【図４】図１の動作説明図である。
【図５】図４の側面図である。
【図６】図１の動作説明図である。
【図７】図６の側面図である。
【図８】図１の動作説明図である。
【図９】図８の電磁流量計側の側面図である。
【図１０】図１の動作説明図である。
【図１１】図１０の電磁流量計側の側面図である。
【図１２】図１の動作説明図である。
【図１３】本発明の他の実施例の要部構成説明図である。
【図１４】図１３の左側面図である。
【図１５】図１３の右側面図である。
【図１６】図１３の動作説明図である。
【図１７】図１６の側面図である。
【図１８】図１３の動作説明図である。
【図１９】図１８の側面図である。
【図２０】電磁流量計側の側面図である。
【図２１】従来より一般に使用されている従来例の要部構成説明図である。
【符号の説明】
１１    測定管
１２    ライニング体
１３    ボス
１４    電極
１４１  鍔部
１４２  リード取り付けネジ穴
１５    絶縁ワッシャー
１５１  凸部
１６    絶縁リング
１７    電極キャップ
１７１  コイルスプリング
１７２  底部
１７３  側部
１８    係止手段
１８１  突起部
１８２  Ｅ形止め輪
１９    電極カバー
２１    本体
２２    プラグ部
２３    雄ネジ部
３１    プラグ部
３１１  ピン
【図１】
2004325150.tif 000003
【図２】
2004325150.tif 000004
【図３】
2004325150.tif 000005
【図４】
2004325150.tif 000006
【図５】
2004325150.tif 000007
【図６】
2004325150.tif 000008
【図７】
2004325150.tif 000009
【図８】
2004325150.tif 000010
【図９】
2004325150.tif 000011
【図１０】
2004325150.tif 000012
【図１１】
2004325150.tif 000013
【図１２】
2004325150.tif 000014
【図１３】
2004325150.tif 000015
【図１４】
2004325150.tif 000016
【図１５】
2004325150.tif 000017
【図１６】
2004325150.tif 000018
【図１７】
2004325150.tif 000019
【図１８】
2004325150.tif 000020
【図１９】
2004325150.tif 000021
【図２０】
2004325150.tif 000022
【図２１】
2004325150.tif 000023